(57)【要約】【課題】  本発明は地震で目地部が狭くなるような揺れ動きが生じた場合に、天井材と衝突することなく、目地天井カバーの先端部を上方へ回動させて、その揺れ動きを吸収することができる、構造が簡単で、容易に設置することができる天井用目地装置を得るにある。【解決手段】  一方の建物の天井躯体に吊り下げ具によって吊り下げ固定された先端部が目地部側端部まで位置する天井材と、この天井材の先端部と他方の建物の壁面との間を覆う目地天井カバーと、この目地天井カバーの先端部を少なくとも上方へ回動できるように後端部を他方の建物の壁面に取付ける取付け具と、目地天井カバーの先端部の上面にチャンネル状に固定された受け具と、一方の建物の目地部側の天井躯体に固定された、地震で目地部が狭くなると、受け具と係合して前記目地天井カバーの先端部を、天井材に衝突することなく上方へ回動させることができる目地天井カバー回動アームとで天井用目地装置を構成している。【選択図】  図１
2011094291.tif 000002
【特許請求の範囲】
【請求項１】
一方の建物の天井躯体に吊り下げ具によって吊り下げ固定された先端部が目地部側端部まで位置する天井材と、この天井材の先端部と他方の建物の壁面との間を覆う目地天井カバーと、この目地天井カバーの先端部を少なくとも上方へ回動できるように後端部を前記他方の建物の壁面に取付ける取付け具と、前記目地天井カバーの先端部の上面にチャンネル状に固定された受け具と、前記一方の建物の目地部側の天井躯体に固定された、地震で目地部が狭くなると、前記受け具と係合して前記目地天井カバーの先端部を、前記天井材に衝突することなく上方へ回動させることができる目地天井カバー回動アームとからなることを特徴とする天井用目地装置。
【請求項２】
取付け具は他方の建物の壁面にほぼ水平方向にだけスライド移動可能に取付けられたスライドレールと、このスライドレールの下端部と目地天井カバーの後端部とを、該目地天井カバーの先端部を上方へ回動できるように取付けるヒンジ部材と、前記目地天井カバーをほぼ水平方向に位置させるように、一端部が該目地天井カバーの先端部寄りの部位に取付けられ、他端部が前記スライドレールの上部寄りの部位に取付けられた可撓性の吊り具とで構成されていることを特徴とする請求項１記載の天井用目地装置。
【発明の詳細な説明】
【技術分野】
【０００１】
本発明は目地部を介して設けられた左右の建物の目地部の天井部分を覆う天井用目地装置に関する。
【背景技術】
【０００２】
従来、この種の天井用目地装置は一方の建物の天井材の目地部側の端部に上面が傾斜面のせり上げ部を形成するとともに、この天井材と対向する他方の建物の壁面に後端部ヒンジ部材を介して回動可能に取付け、かつ先端部を前記天井材の傾斜面のせり上げ部に当接させるように位置させた目地天井カバーを設け、該目地天井カバーの前記他方の建物側の上面に後端部を固定し、先端部を該目地天井カバーの上面より離間させ、前記天井材と天井躯体との間の吊りガイドにスライド移動可能に少なくとも２個以上のせり上げカバー支持アームを支持させ、該少なくとも２個以上のせり上げカバー支持アームに形成された目地部が狭くなると前記吊りガイドにガイドされ、目地天井カバーを天井材の上方へ位置させて、その揺れ動きを吸収するせり上げガイド部材とで構成されている。
【０００３】
このため、地震で目地部が狭くなると、目地天井カバーが天井材の傾斜面であるせり上げ部と当接して上方へガイドされた後、少なくとも２個以上のせり上げカバー支持アームに形成されたせり上げガイド部材が吊りガイドに案内されて天井材の上部に目地天井カバーを位置させる。
【０００４】
よって、目地天井カバーが地震で目地部が狭くなった場合、目地天井カバーと天井材とを衝突させて上方へ移動させるため、天井材や目地天井カバーが損傷しやすくなるという欠点があるとともに、目地天井カバーが目地部が狭くなった場合にヒンジ部を支点として回動し、目地部に位置する目地天井カバーが見苦しい位置状態になるという欠点があった。
【先行技術文献】
【特許文献】
【０００５】
【特許文献１】特許第３４０８１８１号
【発明の概要】
【発明が解決しようとする課題】
【０００６】
本発明は以上のような従来の欠点に鑑み、地震で目地部が狭くなるような揺れ動きが生じた場合に、天井材と衝突することなく、目地天井カバーの先端部を上方へ回動させて、その揺れ動きを吸収することができる、構造が簡単で、容易に設置することができる天井用目地装置を提供することを目的としている。
【０００７】
また、本発明は左右の建物が異なる前後方向に揺れ動いた場合に、目地天井カバーを前後方向にスライド移動させて、その揺れ動きを吸収することができる天井用目地装置を提供することを目的としている。
【０００８】
本発明の前記ならびにそのほかの目的と新規な特徴は次の説明を添付図面と照らし合わせて読むと、より完全に明らかになるであろう。
【０００９】
ただし、図面はもっぱら解説のためのものであって、本発明の技術的範囲を限定するものではない。
【課題を解決するための手段】
【００１０】
上記目的を達成するために、本発明は一方の建物の天井躯体に吊り下げ具によって吊り下げ固定された先端部が目地部側端部まで位置する天井材と、この天井材の先端部と他方の建物の壁面との間を覆う目地天井カバーと、この目地天井カバーの先端部を少なくとも上方へ回動できるように後端部を前記他方の建物の壁面に取付ける取付け具と、前記目地天井カバーの先端部の上面にチャンネル状に固定された受け具と、前記一方の建物の目地部側の天井躯体に固定された、地震で目地部が狭くなると、前記受け具と係合して前記目地天井カバーの先端部を、前記天井材に衝突することなく上方へ回動させることができる目地天井カバー回動アームとで天井用目地装置を構成している。
【発明の効果】
【００１１】
以上の説明から明らかなように、本発明にあっては次に列挙する効果が得られる。
（１）請求項１により、目地部が狭くなるように左右の建物が揺れ動くと、目地カバーの先端部が天井材と衝突することなく、目地天井カバー回動アームによって受け具を上方へ移動させることにより、目地天井カバーを回動させ、その揺れ動きを吸収することができる。
（２）前記（１）により、目地天井カバーの先端部の上面に固定された受け具と、一方の建物の目地部側の天井躯体に固定された目地天井カバー回動アームで目地天井カバーを回動させることができるので、構造が簡単で、容易に設置することができる。
（３）請求項２は前記（１）、（２）と同様な効果が得られるとともに、取付け具によって左右の建物が異なる前後方向に揺れ動いた場合でも、その揺れ動きを吸収することができる。
【図面の簡単な説明】
【００１２】
【図１】本発明を実施するための第１の形態の底面図。
【図２】図１の２−２線に沿う断面図。
【図３】図１の３−３線に沿う断面図。
【図４】図１の４−４線に沿う断面図。
【図５】本発明を実施するための第１の形態の目地天井カバーの説明図。
【図６】本発明を実施するための第１の形態の取付け具の正面図。
【図７】本発明を実施するための第１の形態の取付け具の側面図。
【図８】本発明を実施するための第１の形態の受け具の説明図。
【図９】本発明を実施するための第１の形態の目地天井カバー回動アームの説明図。
【図１０】本発明を実施するための第１の形態の目地部が狭くなった動作説明図。
【図１１】本発明を実施するための第１の形態の目地部が広くなった動作説明図。
【図１２】本発明を実施するための第１の形態の異なる前後方向の動作説明図。
【図１３】本発明を実施するための第２の形態の底面図。
【図１４】図１３の１４−１４線に沿う断面図。
【図１５】図１３の１５−１５線に沿う断面図。
【図１６】本発明を実施するための第３の形態の底面図。
【図１７】図１６の１７−１７線に沿う断面図。
【図１８】図１６の１８−１８線に沿う断面図。
【発明を実施するための形態】
【００１３】
以下、図面に示す本発明を実施するための形態により、本発明を詳細に説明する。
【００１４】
図１ないし図１２に示す本発明を実施するための第１の形態において、１は本発明の天井用目地装置で、この天井用目地装置１は一方の建物２の天井躯体３に複数個の吊り下げ具４によって吊り下げ状態で固定され、かつ目地部５側端部まで位置する先端部の上面が傾斜面６の天井材７と、この天井材７の先端部と他方の建物８の壁面９との間を、該天井材７の先端部と当接しない状態で覆う目地天井カバー１０と、この目地天井カバー１０の先端部を上方へ回動するとともに、前記一方の建物２と他方の建物８が地震で異なる前後方向に揺れ動いた場合に、前後方向に移動可能に該目地天井カバー１０の後端部を前記他方の建物８の壁面９に取付ける取付け具１１と、前記目地天井カバー１０の先端部の上面にチャンネル状に固定された受け具１２と、前記一方の建物２の目地部側の天井躯体３に複数本のビス１３等で固定された、地震で目地部５が狭くなると前記受け具１２と係合して、前記目地天井カバー１０の先端部を前記天井材７に衝突することなく上方へ回動させることができる目地天井カバー回動アーム１４と、必要に応じて設けられる前記目地天井カバー１０をほぼ水平に位置させるように一端部が該目地天井カバー１０の先端部寄りの部位の上面に取付けられ、他端部が前記取付け具１１の上部寄りの部位に取付けられたワイヤー、チェーン、ベルト等の可撓性の吊り具１５、１５とで構成されている。
【００１５】
前記目地天井カバー１０は図５に示すように、複数本の補強材１６を所定間隔で固定された目地天井カバーフレーム１７と、この目地天井カバーフレーム１７の下部を覆うとともに、先端部が順次上方へ傾斜する傾斜面１８が形成された目地天井カバー体１９とで構成されている。
【００１６】
前記取付け具１１は図６および図７に示すように、前記他方の建物８の壁面９に水平状態となるように固定された下部支持金具２０と、この下部支持金具２０に所定間隔で取付けられた複数個の開放防止ローラー２１と、前記下部支持金具２０の上部位置の壁面９に水平状態となるように固定された上部支持金具２２と、この上部支持金具２２に所定間隔で取付けられた複数個の支持ローラー２３と、この複数個の支持ローラー２３に支持される上部がチャンネル状に形成され、下端部がクランク状に形成されたスライドレール２４と、このスライドレール２４の背面に設けられた前記開放防止ローラー２１と係合するクランク状の開放防止片２５と、前記スライドレール２４の下部寄りの背面に取付けられた、前記壁面９に当接する複数個の支持ローラー２６と、前記スライドレール２４の上面と当接する複数個の押えローラー２７を備える押え金具２８と、前記スライドレール２４の下端部に取付けられた前記目地天井カバー１０の後端部に取付けられるヒンジ部材２９とで構成されている。
【００１７】
前記受け具１２は図8に示すように、前記目地天井カバー10の目地天井カバーフレーム１７の先端部のほぼ中央上面に外方へ突出する取付部３０、３０を複数本のビス３１、３１で固定されたチャンネル状の受け具本体３２と、この受け具本体３２の受け部３２ａに回転可能に取付けられたローラー３３とで構成されている。
【００１８】
前記目地天井カバー回動アーム１４は図９に示すように、天井躯体３に複数本のタッピングビス１３等で固定されるベース板３５と、このベース板３５のほぼ中央底面に固定された下方へ突出する吊り下げアーム３６と、この吊り下げアーム３６の先端部と一体形成された先端部が前記受け具１２のローラー３３の下部近傍に位置する目地天井カバー回動アーム本体３７とで構成されている。
【００１９】
上記構成の天井用目地装置１は、通常時には図１および図２に示すように一方の建物２と他方の建物８間の天井目地部５を目地天井カバー１０で覆っている。
この時、吊り具１５、１５によって目地天井カバー１０は水平になるように支持されている。
【００２０】
地震により目地部５が狭くなるように一方の建物２と他方の建物８である左右の建物２、８が揺れ動くと、図１０に示すように目地天井カバー１０の先端部が天井材７の先端部と衝突する前に、目地天井カバー回動アーム１４の目地天井カバー回動アーム本体３７の先端部が受け具１２のローラー３３の下部へ入り込んで、該目地天井カバー回動アーム本体３７の傾斜面３７ａに沿う移動によって、天井材７の先端部と衝突することなく目地天井カバー１０の先端部を上方へ回動させ、その揺れ動きを吸収する。
【００２１】
地震により目地部５が広くなるように揺れ動いた場合には、図１１に示すように目地天井カバー回動アーム１４の先端部より目地天井カバー１０が離れるように移動して、その揺れ動きを吸収する。
【００２２】
地震により左右の建物２、８が異なる前後方向に揺れ動いた場合、図１２に示すように目地天井カバー１０がヒンジ部材２９を介して取付けられている取付け具１１のスライドレール２４が前後方向にスライド移動して、その揺れ動きを吸収する。この時、受け具１２の幅寸法が目地天井カバー回動アーム１４の幅寸法よりも大きいため、前後方向に移動しても、受け具１２より目地天井カバー回動アーム１４が外れることがない。
【００２３】
なお、地震での揺れ動きが停止すると、目地天井カバー１０と目地天井カバー回動アーム１４とが他方の建物８と一方の建物２とに取付けられているため、元の状態へ自動的に戻る。  
【００２４】
また、取付け具１１のヒンジ部材２９として、９０度以上開放しないものを用いることにより、可撓性の吊り具１５、１５を用いなくても目地天井カバー１０をほぼ水平状態に保つことができる。
【００２５】
前記天井材７は図示以外の天井下地材と、この天井下地材を覆うように固定された化粧天井板とで構成されたものを用いてもよい。
【００２６】
[発明を実施するための異なる形態]
次に、図１３ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図１３ないし図１５に示す本発明を実施するための第２の形態において、前記本発明を実施するための第１の形態と主に異なる点は、目地天井カバー１０の先端部に２個の受け具１２、１２を固定し、この２個の受け具１２、１２と係合する２個の目地天井カバー回動アーム１４、１４を用いるとともに、天井材７の先端下部より目地天井カバー１０方向へ突出するカバー片３８を形成した点で、このように構成した天井用目地装置１Ａにしても、前記本発明を実施するための第１の形態と同様な作用効果がえられる。
【００２８】
図１６ないし図１８に示す本発明を実施するための第３の形態において、前記本発明を実施するための第１の形態と主に異なる点は、目地天井カバー１０の後端部をヒンジ部材２９で他方の建物８の壁面９に取付けた点で、このように構成した天井用目地装置１Ｂにしてもよい。
【００２９】
なお、前記本発明を実施するための各形態では受け具１２にローラー３３を用いたものについて説明したが、本発明はこれに限らず、ローラーのない受け具を用いてもよい。
【００３０】
また、目地天井カバー１０は目地天井カバーフレーム１７を使用しない１枚の天井材を用いて構成したものであってもよい。
【産業上の利用可能性】
【００３１】
本発明は目地部を介して設けられた左右の建物の目地部の天井部分を覆う天井用目地装置を製造する産業で利用される。
【符号の説明】
【００３２】
１、１Ａ、１Ｂ：天井用目地装置、
２：一方の建物、        ３：天井躯体、
４：吊り下げ具、        ５：目地部、  
６：傾斜面、            ７：天井材、
８：他方の建物、        ９：壁面、
１０：目地天井カバー、１１：取付け具、
１２：受け具、        １３：ビス、
１４：目地天井カバー回動アーム、
１５：吊り具、        １６：補強材、
１７：目地天井カバーフレーム、１８：傾斜面、
１９：目地天井カバー体、    ２０：下部支持金具、
２１：開放防止ローラー、    ２２：上部支持金具、
２３：支持ローラー、    ２４：スライドレール、
２５：開放防止片、      ２６：支持ローラー、
２７：押えローラー、    ２８：押え金具、
２９：ヒンジ部材、      ３０：取付部、
３１：ビス、            ３２：受け具本体、
３３：ローラー、        ３５：ベース板、
３６：吊り下げアーム、
３７：目地天井カバー回動アーム本体、
３８：カバー片。
【図１】
2011094291.tif 000003
【図２】
2011094291.tif 000004
【図３】
2011094291.tif 000005
【図４】
2011094291.tif 000006
【図５】
2011094291.tif 000007
【図６】
2011094291.tif 000008
【図７】
2011094291.tif 000009
【図８】
2011094291.tif 000010
【図９】
2011094291.tif 000011
【図１０】
2011094291.tif 000012
【図１１】
2011094291.tif 000013
【図１２】
2011094291.tif 000014
【図１３】
2011094291.tif 000015
【図１４】
2011094291.tif 000016
【図１５】
2011094291.tif 000017
【図１６】
2011094291.tif 000018
【図１７】
2011094291.tif 000019
【図１８】
2011094291.tif 000020